(57)【要約】【課題】電池寿命の低下やメモリ容量の圧迫を招くことなく、ＴＶ放送局の選局や同調を自動的に行うことが可能な携帯電話端末を提供する。【解決手段】携帯電話端末１ではＴＶモードがＯＮになると、携帯電話無線部１２を通して携帯電話基地局に対して現在地のＴＶチャネル情報を要求する。携帯電話端末１は携帯電話無線部１２によって携帯電話基地局から報知された信号を受信し、ベースバンド部１３を通して最寄りのＴＶ中継局のＴＶチャネル情報を再生する。制御部１４は報知された現在地で有効なＴＶチャネルのうち、記憶部２１に保存されている前回最後に見たＴＶチャネルから最も近いＴＶチャネルを初期値として選択し、チューナ部１８を制御して受信ＴＶチャネルを切替え、ＴＶアンテナ１７からＴＶ放送を受信する。【選択図】      図１
2004274098.tif 000002
【特許請求の範囲】
【請求項１】
テレビ放送を受信するためのテレビチューナを搭載する携帯電話端末であって、テレビモードがオンの時に基地局から前記テレビ放送のチャネル情報を受信する受信手段と、その受信したチャネル情報を基に前記テレビチューナを制御してテレビチャネルを選択する制御手段とを有することを特徴とする携帯電話端末。
【請求項２】
前記受信手段は、前記基地局に対して最寄りのテレビ中継局の前記テレビ放送のチャネル情報を要求して受信することを特徴とする請求項１記載の携帯電話端末。
【請求項３】
前記制御手段は、前記チャネル情報から現在視聴中の放送と同じ放送系列のテレビチャネルを割り出すことを特徴とする請求項１または請求項２記載の携帯電話端末。
【請求項４】
テレビ受信レベルを検出する手段を含み、
前記制御手段は、前記テレビ受信レベルの劣化が検出された時に前記基地局からの前記チャネル情報を基に前記テレビチャネルを切替えることを特徴とする請求項１から請求項３のいずれか記載の携帯電話端末。
【請求項５】
前記制御手段は、前記基地局の携帯電話セルの移行時に移行先の基地局からの前記チャネル情報を基に前記テレビチャネルを切替えることを特徴とする請求項１から請求項４のいずれか記載の携帯電話端末。
【請求項６】
前記基地局の基地局情報と放送系列の情報と前記チャネル情報とを蓄積する蓄積手段を含み、
前記制御手段は、前記基地局からの基地局情報を受信した時に前記蓄積手段を当該基地局情報で検索し、その検索されたチャネル情報を基に前記テレビチャネルを切替えることを特徴とする請求項１から請求項５のいずれか記載の携帯電話端末。
【請求項７】
テレビ放送を受信するためのテレビチューナを搭載する携帯電話端末のＴＶチャネル切替方法であって、前記携帯電話端末側に、テレビモードがオンの時に基地局から前記テレビ放送のチャネル情報を受信するステップと、その受信したチャネル情報を基に前記テレビチューナを制御してテレビチャネルを選択するステップとを有することを特徴とするＴＶチャネル切替方法。
【請求項８】
前記テレビチャネルを選択するステップは、前記基地局に対して最寄りのテレビ中継局の前記テレビ放送のチャネル情報を要求して受信することを特徴とする請求項７記載のＴＶチャネル切替方法。
【請求項９】
前記テレビチャネルを選択するステップは、前記チャネル情報から現在視聴中の放送と同じ放送系列のテレビチャネルを割り出すことを特徴とする請求項７または請求項８記載のＴＶチャネル切替方法。
【請求項１０】
前記テレビチャネルを選択するステップは、テレビ受信レベルの劣化が検出された時に前記基地局からの前記チャネル情報を基に前記テレビチャネルを切替えることを特徴とする請求項７から請求項９のいずれか記載のＴＶチャネル切替方法。
【請求項１１】
前記テレビチャネルを選択するステップは、前記基地局の携帯電話セルの移行時に移行先の基地局からの前記チャネル情報を基に前記テレビチャネルを切替えることを特徴とする請求項７から請求項９のいずれか記載のＴＶチャネル切替方法。
【請求項１２】
前記テレビチャネルを選択するステップは、前記基地局からの基地局情報を受信した時に、前記基地局の基地局情報と放送系列の情報と前記チャネル情報とを蓄積する蓄積手段を前記基地局情報で検索し、その検索されたチャネル情報を基に前記テレビチャネルを切替えることを特徴とする請求項７から請求項１１のいずれか記載のＴＶチャネル切替方法。
【請求項１３】
テレビ放送を受信するためのテレビチューナを搭載する携帯電話端末のＴＶチャネル切替方法のプログラムであって、コンピュータに、テレビモードがオンの時に基地局から前記テレビ放送のチャネル情報を受信する処理と、その受信したチャネル情報を基に前記テレビチューナを制御してテレビチャネルを選択する処理とを実行させるためのプログラム。
【発明の詳細な説明】
【０００１】
【発明の属する技術分野】
本発明は携帯電話端末及びそれに用いるＴＶチャネル切替方法並びにそのプログラムに関し、特に携帯電話端末に搭載されたＴＶチューナでのＴＶチャネル切替方法に関する。
【０００２】
【従来の技術】
近年、日本や西欧州等の先進諸国では、携帯電話端末の普及率が安定期に入り、今後、さらなる高機能化や高性能化が求められていくことが予想される。高機能化や高性能化のための新機能の一つにＴＶ（テレビ）チューナによるＴＶ放送の受信機能があげられる。
【０００３】
しかしながら、ＴＶ放送においては同じ放送内容であっても、受信する場所によって最も感度のよい周波数が異なっていたり、また受信する場所によって受信可能な放送局が異なる場合がある。
【０００４】
これらの場合には、移動した場所毎にマニュアル操作で選局や同調を行わなければならず、特に、携帯電話端末では移動によるハンドオーバ（携帯電話セルの移行）が発生することがあり、そのハンドオーバ毎にマニュアル操作での選局や同調を行う必要が生ずることがある。
【０００５】
このマニュアル操作での選局や同調をなくし、自動的に選局や同調を行う方法としては、放送局の位置情報と放送局周波数との対応テーブルを設け、指定された放送局の位置情報に対応する周波数を対応テーブルから読出し、その周波数に同調させる方法が提案されている（例えば、特許文献１参照）。この場合、携帯電話端末は携帯電話基地局からの位置情報を受信して現在位置を判定するようにしている。
【０００６】
【特許文献１】
特開平８−１６２９０９号公報（第７〜９頁、図１）
【０００７】
【発明が解決しようとする課題】
上述した従来の携帯電話端末では、ＴＶチューナを搭載する場合、移動時の地上波アナログ放送受信におけるＴＶチャネル変動と電池寿命とが問題になる。地上波では同じ放送系列の放送でも、地域が変われば受信チャネルが異なるので、移動体通信による地上波アナログＴＶ放送の受信を考えると、移動中に受信が途切れ、再チャネルサーチしなければならないケースが生じ得る。
【０００８】
また、ＴＶチューナに限らず、近年の高機能化に伴い、携帯電話端末の消費電力は加速度的に増加してきており、さらなる機能の追加によって電池寿命が低下するという問題もある。
【０００９】
上記の特許文献１では、自動的に選局や同調を行うことができるが、携帯電話端末が放送局の位置情報と放送局周波数との対応テーブルを搭載する必要があり、高機能化や高性能化によって大容量化を図っているメモリの容量をさらに圧迫してしまうという問題がある。
【００１０】
そこで、本発明の目的は上記の問題点を解消し、電池寿命の低下やメモリ容量の圧迫を招くことなく、ＴＶ放送局の選局や同調を自動的に行うことができる携帯電話端末及びそれに用いるＴＶチャネル切替方法並びにそのプログラムを提供することにある。
【００１１】
【課題を解決するための手段】
本発明による携帯電話端末は、テレビ放送を受信するためのテレビチューナを搭載する携帯電話端末であって、テレビモードがオンの時に基地局から前記テレビ放送のチャネル情報を受信する受信手段と、その受信したチャネル情報を基に前記テレビチューナを制御してテレビチャネルを選択する制御手段とを備えている。
【００１２】
本発明によるＴＶチャネル切替方法は、テレビ放送を受信するためのテレビチューナを搭載する携帯電話端末のＴＶチャネル切替方法であって、前記携帯電話端末側に、テレビモードがオンの時に基地局から前記テレビ放送のチャネル情報を受信するステップと、その受信したチャネル情報を基に前記テレビチューナを制御してテレビチャネルを選択するステップとを備えている。
【００１３】
本発明によるＴＶチャネル切替方法のプログラムは、テレビ放送を受信するためのテレビチューナを搭載する携帯電話端末のＴＶチャネル切替方法のプログラムであって、コンピュータに、テレビモードがオンの時に基地局から前記テレビ放送のチャネル情報を受信する処理と、その受信したチャネル情報を基に前記テレビチューナを制御してテレビチャネルを選択する処理とを実行させている。
【００１４】
すなわち、本発明の携帯電話端末は、ＴＶ（テレビ）チューナを搭載する端末において、携帯電話基地局の報知信号を利用して周辺のＴＶチャネル情報を受信することによって、目的のＴＶ系列の番組を検出する時間を短縮し、また移動中でも連続して安定したＴＶ放送受信を行えることを特徴としている。
【００１５】
地上波アナログＴＶ放送は、各セルに設置されたＴＶ中継局から、特定のＴＶチャネルを通して発信されている。同一のＴＶ放送系列でもＴＶ中継局セル毎にＴＶチャネルが異なる。
【００１６】
携帯電話という移動体でＴＶ放送を受信する場合、受信するたびにＴＶ中継局が異なったり、移動中にＴＶ放送を受信していて、別のＴＶ中継局セルに移行してしまうことが考えられる。したがって、固定ＴＶ受信機のように一度チャネル合わせを行っておけば、いつでも目的のＴＶ番組が見られるというわけにはいかず、ＴＶ中継局が移行する毎にＴＶチャネルを走査し、目的のＴＶ系列の放送を探さなければならない。
【００１７】
本発明の携帯電話端末では、携帯電話基地局から携帯電話端末に、最寄りのＴＶ中継局のＴＶチャネル情報を報知している。したがって、本発明の携帯電話端末では、そのセルで有効なＴＶチャネルのみを走査することが可能となり、目的のＴＶ系列の番組を探す時間が短縮される。
【００１８】
例えば、ＴＶ系列αの番組を受信しながら、ＴＶ中継局セルＡからＴＶ中継局セルＢに移行する場合、ＴＶ中継局セルＡでは系列αのＴＶチャネルが９ｃｈであるが、ＴＶ中継局セルＢでは４ｃｈとする。この場合、携帯電話端末ではセル境界を過ぎると、ＴＶチャネル走査を行い、ＴＶ中継局セルＢにおけるＴＶ系列αのＴＶチャネルである４ｃｈを探さなければならない。この間、ＴＶ受信は中断される。
【００１９】
これに対して、本発明の携帯電話端末では、携帯電話基地局から最寄りのＴＶ中継局のＴＶチャネル情報を受信し、そのＴＶチャネル情報から受信中のＴＶ系列のＴＶチャネルを割り出すことによって、別のＴＶ中継局セルに移行する場合でも、ＴＶ受信中にＴＶ中継局セルを移行しても、ＴＶチャネル走査を行う必要がなく、連続して安定したＴＶ放送受信が可能となる。
【００２０】
本発明の携帯電話端末では、上述したいずれの場合でも、ＴＶチャネル走査に要する端末の消費電力を低減することが可能になるという効果が得られる。
【００２１】
【発明の実施の形態】
次に、本発明の実施例について図面を参照して説明する。図１は本発明の一実施例による携帯電話端末の構成を示すブロック図である。図１において、携帯電話端末１は携帯電話アンテナ１１と、携帯電話無線部１２と、ベースバンド部１３と、制御部１４と、レシーバ１５と、マイク１６と、ＴＶアンテナ１７と、チューナ部１８と、表示部１９と、キー操作部２０と、メモリ２１とから構成されている。
【００２２】
携帯電話アンテナ１１は携帯電話基地局（図示せず）からの携帯電話信号を受信し、携帯電話無線部１２はアンテナ１１で受信した携帯電話信号を復調し、発呼側で作られたベースバンド信号を再生する。ベースバンド部１３は受信ベースバンド信号に含まれる音声情報やデータ情報（画像情報やテキスト情報を含む）を再生する。
【００２３】
制御部１４はメモリ２１内のプログラムを実行し、各部の制御や各種の処理を行う。レシーバ１５は受話器であり、マイク１６は送話器である。
【００２４】
ＴＶアンテナ１７はＴＶ中継局（図示せず）からのＴＶ信号を受信し、チューナ部１８はＴＶアンテナ１７で受信したＴＶ信号を復調し、ＴＶベースバンド信号に再生する。
【００２５】
表示部１９は使用者に対して情報を表示出力し、キー操作部２０は通話ボタンやテンキー等からなる。メモリ２１は制御部１４が実行するプログラム（コンピュータで実行可能なプログラム）のほかに、電話帳や地図情報、セル情報及び各種設定等が記憶されている。
【００２６】
図２は本発明の一実施例によるＴＶチューナ搭載携帯電話端末のシステム構成を示す図である。このシステムはＴＶチューナ搭載携帯電話端末１と、携帯電話基地局２−１〜２−３と、ＴＶ中継局３−１，３−２とからなっている。
【００２７】
ＴＶチューナ搭載携帯電話端末１は、図１に示すように、携帯電話通信部の他に、ＴＶ用アンテナとＴＶチューナとからなり、携帯電話基地局２−１〜２−３はその携帯電話セルＡ１〜Ａ３が属するＴＶ中継局セルＢ１，Ｂ２のＴＶチャネル情報（ＴＶ放送系列とＴＶチャネルとの関係）を持っている。ＴＶ中継局３−１，３−２は各ＴＶ放送系列のＴＶ信号を、中継局毎に異なるＴＶチャネルで送信している。
【００２８】
図３はＴＶ中継局セルＢと携帯電話セルＡとの関係を示す概念図であり、図４はＴＶ中継局セルＢの移行時のＴＶ受信中断の一例を示す概念図であり、図５は本発明の一実施例によるＴＶ中継局セルＢの移行時の連続ＴＶ受信の一例を示す概略図であり、図６はＴＶ中継局セルＢとＴＶチャネルとの対応例を示す図であり、図７は本発明の一実施例において携帯電話基地局２から携帯電話端末１に報知されるＴＶチャネル情報の一例を示す図である。
【００２９】
地上波アナログＴＶ放送は、図６に示すように、各セルに設置されたＴＶ中継局３−１，３−２から特定のＴＶチャネルを通して発信されている。同一のＴＶ放送系列でもＴＶ中継局セルＢ１，Ｂ２毎にＴＶチャネルが異なる。つまり、図６に示すように、ＴＶ放送系列「Ｃテレビ」，「Ｄテレビ」，「Ｅテレビ」，「Ｆ放送」，「テレビＧ」は各地域「東京」，「新島」，「三宅」，「八丈」，「青梅沢井」，「奥多摩」，「波浮」，「八丈末吉」，「八丈洞輪沢」，「青梅入平」，「八王子上恩方」，「八王子」，「新島本村」，「多摩」，「大島」，「父島」，「母島」，「檜原」，「大島岡田」，「大島泉津」，「千駄ヶ谷」，「大井町」等毎にＴＶチャネルが異なる。
【００３０】
携帯電話という移動体でＴＶ放送を受信する場合、受信するたびにＴＶ中継局３−１，３−２が異なったり、移動中にＴＶ放送を受信していて、別のＴＶ中継局セルＢ１，Ｂ２に移行してしまうことが考えられる。よって、固定ＴＶ受信機のように、一度チャネル合わせを行っておけば、いつでも目的のＴＶ番組が見られるというわけにはいかず、ＴＶ中継局セルＢ１，Ｂ２が移行する毎にＴＶチャネルを走査し、目的のＴＶ系列の放送を探さなければならない。
【００３１】
本発明の一実施例では、図３に示すように、携帯電話基地局２から携帯電話端末１に、図７に示すように、最寄りのＴＶ中継局３−１，３−２のＴＶチャネル情報を報知する。よって、そのＴＶ中継局セルＢ１，Ｂ２で有効なＴＶチャネルのみを走査することが可能となり、目的のＴＶ系列の番組を探す時間が短縮される。
【００３２】
例えば、図７においては、ＴＶ放送系列の「Ｃテレビ」が「４」チャネル、「Ｄテレビ」が「６」チャネル、「Ｅテレビ」が「８」チャネル、「Ｆ放送」が「１０」チャネル、「テレビＧ」が「１２」チャネルであることを示している。
【００３３】
また、図４に示すように、ＴＶ系列αの番組を受信しながら、ＴＶ中継局セルＢ１からＴＶ中継局セルＢ２に移行する場合、ＴＶ中継局セルＢ１では系列αのＴＶチャネルが９ｃｈであるが、ＴＶ中継局セルＢ２では４ｃｈである。したがって、セル境界を過ぎると、ＴＶチャネル走査を行い、ＴＶ中継局セルＢ２におけるＴＶ系列αのＴＶチャネルである４ｃｈを探さなければならない。この間、ＴＶ受信は中断される。
【００３４】
これに対して、本発明の一実施例では、図３に示すように、携帯電話基地局２から最寄りのＴＶ中継局３−１，３−２のＴＶチャネル情報を受信しているので、図５に示すように、ＴＶ中継局セルＢの移行時でも連続ＴＶ受信が可能となる。つまり、本発明の一実施例では、上記のＴＶチャネル情報から、受信中のＴＶ系列のＴＶチャネルを割り出すことによって、別のＴＶ中継局セルＢに移行する場合でも、ＴＶ受信中にＴＶ中継局セルＢを移行しても、ＴＶチャネル走査を行う必要がなく、連続して安定したＴＶ放送受信が可能となる。
【００３５】
さらに、本発明の一実施例では、上記のいずれの場合についても、ＴＶチャネル走査に要する携帯電話端末１の消費電力を低減することができるという効果が得られる。
【００３６】
図８は本発明の一実施例による携帯電話端末１の動作を示すフローチャートであり、図９（ａ）は本発明の一実施例によるＴＶチャネル情報が得られない場合のＴＶチャネルの切替え動作を示す図であり、図９（ｂ）は本発明の一実施例によるＴＶチャネル情報を得た場合のＴＶチャネルの切替え動作を示す図である。これら図１と図８と図９とを参照して携帯電話端末１のＴＶモードＯＮ時の動作について説明する。尚、図８に示す処理は制御部１４がメモリ２１のプログラムを実行することで実現される。
【００３７】
まず、携帯電話端末１では使用者がＴＶモードをＯＮにすると（図８ステップＳ１）、携帯電話無線部１２を通して携帯電話基地局２に対して、現在地のＴＶチャネル情報を要求する（図８ステップＳ２）。
【００３８】
携帯電話端末１は携帯電話無線部１２によって携帯電話基地局２から報知された信号を受信し、ベースバンド部１３を通して最寄りのＴＶ中継局のＴＶチャネル情報を再生する（図８ステップＳ３）。
【００３９】
制御部１４は報知された現在地で有効なＴＶチャネルのうち、記憶部２１に保存されている前回最後に見たＴＶチャネルから最も近いＴＶチャネルを初期値として選択し（図８ステップＳ４）、チューナ部１８を制御して受信ＴＶチャネルを切替え、ＴＶアンテナ１７からＴＶ放送を受信する（図８ステップＳ５）。
【００４０】
使用者が受信したＴＶ放送が目的の放送局のものかどうかを判定するので、その判定が結果キー操作部２０を通して制御部１４に入力される（図８ステップＳ６）。制御部１４は受信したＴＶ放送が目的のものではないと判断されると、携帯電話基地局２からのＴＶチャネル情報を基にチューナ部１８を制御し、受信ＴＶチャネルを次の有効ＴＶチャネルへと切替え（図８ステップＳ７）、上記のステップＳ５以降の動作を繰り返し、目的のＴＶ放送を受信する。これによって、図９（ａ），（ｂ）に示すように、目的のＴＶ系列の番組を探すまでの時間を短縮することが可能となる。
【００４１】
図１０は本発明の一実施例によるＴＶ中継局セルＢの移行時の動作を示すフローチャートである。これら図１と図４と図５と図１０とを参照して本発明の一実施例によるＴＶ中継局セルＢの移行時の動作について説明する。尚、図１０に示す処理は制御部１４がメモリ２１のプログラムを実行することで実現される。
【００４２】
ＴＶ受信レベルはＴＶ中継局セルＢの境界に近付くと低下する。本発明の一実施例ではこれを利用し、制御部１４がＴＶ放送受信中、ＴＶアンテナ１７を通して一定時間毎にＴＶ受信レベルを検出する（図１０ステップＳ１１）。制御部１４はこのＴＶ受信レベルを記憶部２１に保存されている閾値と比較し、ＴＶ放送を視聴するのに十分であるかどうかの判定を行う（図１０ステップＳ１２）。
【００４３】
制御部１４はＴＶ受信レベルが閾値以下に劣化したことを検出すると、ベースバンド部１３と携帯電話無線部１２とを通して携帯電話基地局２に対して現在視聴中のＴＶ放送系列を通知する（図１０ステップＳ１３）。携帯電話基地局２は最寄りのＴＶ中継局３−１，３−２のＴＶチャネル情報（図７参照）をデータベースとして持っており、携帯電話端末１から通知された現在視聴中のＴＶ放送系列の通知を基に、ＴＶチャネル情報のデータベースの中から、同一のＴＶ放送系列のＴＶチャネルを検索し、最寄りのＴＶ中継局３−１，３−２のＴＶチャネル情報を割り出し、そのＴＶチャネル情報を携帯電話端末１に報知する。
【００４４】
携帯電話端末１側において、制御部１４は携帯電話無線部１２を通して携帯電話基地局２で割り出された最寄りのＴＶ中継局のＴＶチャネル情報を受信すると（図１０ステップＳ１４）、ベースバンド部１３を通してＴＶチャネル情報を再生する。
【００４５】
制御部１４は再生したＴＶチャネル情報を基に、チューナ部１８を制御して受信ＴＶチャネルを切替え、報知されたＴＶチャネルを選局し、新しいＴＶ中継局３−１，３−２から同じＴＶ放送系列の放送を受信する（図１０ステップＳ１５）。これによって、図５に示すように、ＴＶ中継局セルＢの移行時にも連続して安定した同一のＴＶ放送系列の放送の受信が可能となる。
【００４６】
このように、本実施例では、ＴＶモードＯＮ時、受信中のＴＶ受信レベルが劣化した場合に、携帯電話基地局２から最寄りのＴＶ中継局３−１，３−２のＴＶチャネル情報を受信することによって、ＴＶチャネル走査において、その地域に放送がないＴＶチャネルまで走査する無駄が省かれ、ＴＶモードＯＮから目的のＴＶ放送受信までの時間を短縮することができ。また、本実施例では、余分なＴＶチャネル走査をすることがなくなるため、消費電力を抑えることができる。
【００４７】
さらに、本実施例では、移動しながらＴＶ放送を受信中に、ＴＶ中継局セルＢを移行した場合に、現在視聴中のＴＶ系列と同一のＴＶ放送系列のＴＶチャネル情報を携帯電話基地局２から受信することによって、即時に最寄りのＴＶ中継局３−１，３−２に繋ぎ直すことができ、同一のＴＶ放送系列の放送を連続し、安定した状態でＴＶ放送を受信することができる。さらにまた、本実施例では、ＴＶ中継局セルＢを移行した場合に、再度ＴＶチャネル走査をすることがなくなるため、消費電力を抑えることができる。
【００４８】
図１１は本発明の他の実施例によるＴＶチューナ搭載携帯電話端末の動作を示すフローチャートである。本発明の他の実施例によるＴＶチューナ搭載携帯電話端末の構成は図１に示す本発明の一実施例による携帯電話端末１の構成と同様なので、図１及び図１１を参照して本発明の他の実施例によるＴＶチューナ搭載携帯電話端末の動作について説明する。尚、図１１に示す処理は制御部１４がメモリ２１のプログラムを実行することで実現される。
【００４９】
以下、携帯電話端末１がＴＶ中継局セルＢの移行時のＴＶ受信中断を防止するために、携帯電話セルＡを移行する毎に、移行先の携帯電話基地局２から最寄りのＴＶ中継局３−１，３−２のＴＶチャネル情報を受信する場合の動作について説明する。
【００５０】
携帯電話端末１が移動時に携帯電話セルＡを移行する際に、ハンドオーバ（携帯電話基地局２の繋ぎ直し）が行われる場合、携帯電話基地局２は携帯電話端末１に対して、最寄りのＴＶ中継局３−１，３−２のＴＶチャネル情報を報知する。
【００５１】
携帯電話端末１側において、制御部１４は携帯電話無線部１２を通してその信号を受信し、新たに移行した側の携帯電話セルＡにおける最寄りのＴＶ中継局３−１，３−２のＴＶチャネル情報をベースバンド部１３を通して再生し、そのＴＶチャネル情報の中から現在視聴中のＴＶ放送系列と同一のＴＶ放送系列のＴＶチャネルを割り出す（図１１ステップＳ２１〜Ｓ２３）。
【００５２】
制御部１４はそのＴＶチャネルが現在受信しているＴＶチャネルと同一であるかどうかを判定し（図１１ステップＳ２４）、携帯電話セルＡを移行しても、最寄りのＴＶ中継局３−１，３−２が変わらなければ、現在受信しているＴＶチャネルと同一ＴＶチャネルが割り出される。この場合にはＴＶチャネルを変える必要がなく、同一のＴＶ放送系列の放送を受信し続ける。
【００５３】
一方、制御部１４は割り出されたＴＶチャネルが現在受信しているＴＶチャネルと異なると、最寄りのＴＶ中継局３−１，３−２が変わったということなので、割り出されたＴＶチャネルを基にチューナ部１８を制御して受信ＴＶチャネルを切替え、新たなＴＶ中継局３−１，３−２から同一のＴＶ放送系列の放送を受信する（図１１ステップＳ２５）。
【００５４】
図３に示すように、携帯電話セルＡはＴＶ中継局セルＢに比べて十分に狭いため、携帯電話セルＡの移行毎に最寄りのＴＶ中継局３−１，３−２を確認し続けていけば、ＴＶ中継局セルＢの境界を検出する必要がない。したがって、本実施例では、ＴＶ受信レベルを管理する必要がなく、携帯電話端末１の負荷を軽減することができる。
【００５５】
図１２及び図１３は本発明の別の実施例による携帯電話端末内に実装するデータベースの一例を示す図であり、図１４は本発明の別の実施例によるハンドオーバ時に自動的に受信するＴＶチャネルを切替える動作を示すフローチャートである。本発明の他の実施例によるＴＶチューナ搭載携帯電話端末の構成は図１に示す本発明の一実施例による携帯電話端末１の構成と同様なので、図１と図１２〜図１４とを参照して本発明の他の実施例によるＴＶチューナ搭載携帯電話端末の動作について説明する。尚、図１４に示す処理は制御部１４がメモリ２１のプログラムを実行することで実現される。また、本発明の他の実施例による携帯電話端末１には各携帯電話基地局２におけるＴＶチャネル情報がデータベースとして実装されている。
【００５６】
携帯電話端末１が移動時に携帯電話セルＡを移行する際に、ハンドオーバ（携帯電話基地局の繋ぎ直し）が行われる場合、携帯電話基地局２は携帯電話端末１に対して基地局コードを報知する。この基地局コードはＰＤＣ（Ｐｅｒｓｏｎａｌ  Ｄｉｇｉｔａｌ  Ｃｅｌｌｕｌａｒ）方式における干渉対策コード（カラーコード）のようなものである。ＰＤＣ方式における干渉対策コードは１クラスタ（＝７セル）毎に一つのコードが割り当てられるが、この場合の基地局コードは各携帯電話セルＡを識別するものである。
【００５７】
携帯電話端末１側において、制御部１４は携帯電話無線部１２を通して携帯電話基地局２からの信号を受信し、ベースバンド部１３を通して基地局コードを再生し、再生した基地局コードを記憶部２１に実装したデータベース（図１２及び図１３参照）と照らし合わせ、最寄りのＴＶ中継局３−１，３−２のＴＶチャネル情報を検索する（図１４ステップＳ３１〜Ｓ３３）。
【００５８】
制御部１４は検出したＴＶチャネル情報の中から、現在視聴中のＴＶ放送系列と同一のＴＶ放送系列のＴＶチャネルを割り出す（図１４ステップＳ３４）。制御部１４はそのＴＶチャネルが現在受信しているＴＶチャネルと同一であるかどうかを判定し（図１４ステップＳ３５）、携帯電話セルＡを移行しても、最寄りのＴＶ中継局３−１，３−２が変わらなければ、現在受信しているＴＶチャネルと同一ＴＶチャネルが割り出される。この場合にはＴＶチャネルを変える必要がなく、同一のＴＶ放送系列の放送を受信し続ける。
【００５９】
一方、制御部１４は割り出されたＴＶチャネルが現在受信しているＴＶチャネルと異なると、最寄りのＴＶ中継局３−１，３−２が変わったということなので、割り出されたＴＶチャネルを基にチューナ部１８を制御して受信ＴＶチャネルを切替え、新たなＴＶ中継局から同一のＴＶ放送系列の放送を受信する（図１４ステップＳ３６）。
【００６０】
図３に示すように、携帯電話セルＡはＴＶ中継局セルＢに比べて十分に狭いため、携帯電話セルＡの移行毎に最寄りのＴＶ中継局３−１，３−２を確認し続けていけば、ＴＶ中継局セルＢの境界を検出する必要がない。したがって、本実施例では、ＴＶ受信レベルを管理する必要がなく、携帯電話端末１の負荷を軽減することができる。
【００６１】
【発明の効果】
以上説明したように本発明は、上記のような構成及び動作とすることで、電池寿命の低下やメモリ容量の圧迫を招くことなく、ＴＶ放送局の選局や同調を自動的に行うことができるという効果が得られる。
【図面の簡単な説明】
【図１】本発明の一実施例による携帯電話端末の構成を示すブロック図である。
【図２】本発明の一実施例によるＴＶチューナ搭載携帯電話端末のシステム構成を示す図である。
【図３】ＴＶ中継局セルと携帯電話セルとの関係を示す概念図である。
【図４】ＴＶ中継局セルの移行時のＴＶ受信中断の一例を示す概念図である。
【図５】本発明の一実施例によるＴＶ中継局セルの移行時の連続ＴＶ受信の一例を示す概略図である。
【図６】ＴＶ中継局セルとＴＶチャネルとの対応例を示す図である。
【図７】図７は本発明の一実施例において携帯電話基地局から携帯電話端末に報知されるＴＶチャネル情報の一例を示す図である。
【図８】本発明の一実施例による携帯電話端末の動作を示すフローチャートである。
【図９】（ａ）は本発明の一実施例によるＴＶチャネル情報が得られない場合のＴＶチャネルの切替え動作を示す図、（ｂ）は本発明の一実施例によるＴＶチャネル情報を得た場合のＴＶチャネルの切替え動作を示す図である。
【図１０】本発明の一実施例によるＴＶ中継局セルの移行時の動作を示すフローチャートである。
【図１１】本発明の他の実施例によるＴＶチューナ搭載携帯電話端末の動作を示すフローチャートである。
【図１２】本発明の別の実施例による携帯電話端末内に実装するデータベースの一例を示す図である。
【図１３】本発明の別の実施例による携帯電話端末内に実装するデータベースの一例を示す図である。
【図１４】本発明の別の実施例によるハンドオーバ時に自動的に受信するＴＶチャネルを切替える動作を示すフローチャートである。
【符号の説明】
１  携帯電話端末
２，２−１〜２−３  携帯電話基地局
３−１，３−２  ＴＶ中継局
１１  携帯電話アンテナ
１２  携帯電話無線部
１３  ベースバンド部
１４  制御部
１５  レシーバ
１６  マイク
１７  ＴＶアンテナ
１８  チューナ部
１９  表示部
２０  キー操作部
２１  メモリ
Ａ，Ａ１〜Ａ３  携帯電話セル
Ｂ１，Ｂ２  ＴＶ中継局セル
【図１】
2004274098.tif 000003
【図２】
2004274098.tif 000004
【図３】
2004274098.tif 000005
【図４】
2004274098.tif 000006
【図５】
2004274098.tif 000007
【図６】
2004274098.tif 000008
【図７】
2004274098.tif 000009
【図８】
2004274098.tif 000010
【図９】
2004274098.tif 000011
【図１０】
2004274098.tif 000012
【図１１】
2004274098.tif 000013
【図１２】
2004274098.tif 000014
【図１３】
2004274098.tif 000015
【図１４】
2004274098.tif 000016